(57)【要約】【課題】分割可能な商品の一部を、同じ包装用箱を分割して小形化して収容可能であり、確実に開口を閉鎖して安全に携帯や保管を可能にし、また包装用箱に印刷された情報を保存することができる分割機能付包装用箱を提供する。【解決手段】一枚のブランクシートから一体的に打ち抜かれた箱体形成片１２から成り、互いに連接された側面１４，１６，１８，２０と、側面１８に形成された蓋体切込線６４，６６，６８を備える。蓋体切込線６４，６６，６８が設けられた側面１８以外の側面１４，１６，２０に、連通方向に沿って形成された本体切込線３２，３６，８４を備える。蓋体切込線６４，６６，６８は、山形に形成され、蓋体切込線６４，６６，６８の内側が蓋体となる。蓋体切込線６４，６６，６８と本体切込線３２，３６，８４を切断すると、箱体は２分割されて、蓋体７０が連続する一方は小形収納箱９８となり、他方は破棄片１００となる。【選択図】図１
2010013129.tif 000002
【特許請求の範囲】
【請求項１】
一枚のブランクシートから一体的に打ち抜かれた箱体形成片から成り、この箱体形成片には、互いに連接された側面と、前記側面の１つに形成された蓋体切込線と、前記蓋体切込線が設けられた前記側面以外の側面に連通方向に沿って形成された本体切込線が互いに連続して設けられ、前記蓋体切込線は、上記側面の連接方向に交差する一対の側縁部と、連接方向に平行な一方の端縁を有する山形に形成され、前記蓋体切込線の内側は蓋体となり、前記箱体形成片を組み立てた状態で、前記蓋体切込線と前記本体切込線を切断すると、前記箱体は２分割されて前記蓋体が連続する一方は小形収納箱となり、他方は破棄片となることを特徴とする分割機能付包装用箱。
【請求項２】
前記蓋体と、前記小形収納箱の側面は折罫線で区切られ、前記蓋体は前記折罫線で折り曲げられて前記小形収納箱の前記側面に対向する他方の側面に重ねられ、前記蓋体には前記折罫線の方へ膨出する切断線で区切られた差込部が形成され、前記蓋体が重ねられる前記側面には、前記差込部が差し込まれる係止穴が設けられていることを特徴とする請求項１記載の分割機能付包装用箱。
【請求項３】
前記箱体形成片には４つの側面が設けられて四角筒に組み立てられ、前記蓋体と前記側面の間には、前記四角筒の開口部を閉鎖する上面部が設けられ、上記上面部は前記側面の、側面どうしが連通する連接方向と同じ幅に形成され、前記上面部の幅方向の側縁部には、上記上面部が連接された側面に対して直角に交差する側面に連続する折畳片が設けられていることを特徴とする請求項１記載の分割機能付包装用箱。
【発明の詳細な説明】
【技術分野】
【０００１】
この発明は、側面に分離用の切込線が設けられた分割機能付包装用箱に関する。
【背景技術】
【０００２】
従来、分割可能な商品を収容する包装用箱には、内容物の一部を使用して残りを同じ包装用箱に戻して保管するときに、包装用箱を分割してコンパクトにすることができるものがあった。例えば、特開２００５−３５０１０３号公報に開示されている包装用箱は、この箱体を複数の小形の箱体に分割すると同時に、分割した小形の箱体の開口部に閉蓋可能な部分蓋体を形成する切込線が設けられている。この包装用箱の使用方法は、内容物の一部を使用して小さくなったとき、包装用箱の切込線を切断して小形の箱体に分割し、分割された開口部を閉鎖する部分蓋体を一体に形成し、残りの内容物を再び入れて部分蓋体で閉鎖して保管するものである。
【特許文献１】特開２００５−３５０１３０号公報
【発明の開示】
【発明が解決しようとする課題】
【０００３】
上記背景技術の包装用箱の場合、部分蓋体の構造が簡単であり、部分蓋体の両端部に設けられている蓋耳片部を、分割した小形の箱体の開口部に差し込んで係止するだけであり、開口部を確実に閉鎖することは出来ないものであった。このため、分割した小形の箱体内の商品が箱体内から容易に出てしまうもので、この小箱を携帯することができず、内容物の錠剤等を外出先に携帯するような商品には不向きであった。
【０００４】
この発明は、上記背景技術の問題点に鑑みてなされたものであり、分割可能な商品の一部を、同じ包装用箱を分割して小形化して収容可能であり、確実に開口を閉鎖して安全に携帯や保管を可能にし、また包装用箱に印刷された情報を保存することができる分割機能付包装用箱を提供することを目的とする。
【課題を解決するための手段】
【０００５】
本発明は、一枚のブランクシートから一体的に打ち抜かれた箱体形成片から成り、この箱体形成片には、互いに連接された側面と、前記側面の１つに形成された蓋体切込線と、前記蓋体切込線が設けられた前記側面以外の側面に連通方向に沿って形成された本体切込線が互いに連続して設けられる分割機能付包装用箱である。前記蓋体切込線は、上記側面の連接方向に交差する一対の側縁部と、連接方向に平行な一方の端縁を有する山形に形成され、前記蓋体切込線の内側は蓋体となる。前記箱体形成片を組み立てた状態で、前記蓋体切込線と前記本体切込線を切断すると、前記箱体は２分割されて前記蓋体が連続する一方は小形収納箱となり、他方は破棄片となる。
【０００６】
また、前記蓋体と、前記小形収納箱の側面は折罫線で区切られ、前記蓋体は前記折罫線で折り曲げられて前記小形収納箱の前記側面に対向する他方の側面に重ねられ、前記蓋体には前記折罫線の方へ膨出する切断線で区切られた差込部が形成され、前記蓋体が重ねられる前記側面には、前記差込部が差し込まれる係止穴が設けられている。
【０００７】
また、前記箱体形成片には４つの側面が設けられて四角筒に組み立てられ、前記蓋体と前記側面の間には、前記四角筒の開口部を閉鎖する上面部が設けられ、上記上面部は前記側面の、側面どうしが連通する連接方向と同じ幅に形成され、前記上面部の幅方向の側縁部には、上記上面部が連接された側面に対して直角に交差する側面に連続する折畳片が設けられている。前記折畳片は、前記上面部の側縁部と、上記上面部が連接された側面に対して直角に交差する上記側面の端部を放射方向とする中心角が９０度の扇形に形成され、中心角を２等分する直線である折罫線が設けられている。
【発明の効果】
【０００８】
本発明の分割機能付包装用箱は、分割可能な商品の一部を同じ包装用箱を分割した小形の包装用箱に入れることができ、小形の包装用箱の開口を確実に閉鎖して携帯や保管をすることができる。また、包装用箱に印刷された情報を確実に残して小形の包装用箱に分割することができる。
【発明を実施するための最良の形態】
【０００９】
以下、この発明の実施形態について図面に基づいて説明する。図１〜図４はこの発明の一実施形態を示すもので、この実施形態の分割機能付包装用箱１０は、紙製の一枚のブランクシートを打ち抜いて形成された箱体形成片１２を組み立てて設けられている。
【００１０】
図４は箱体形成片１２を表面から見た展開図であり、箱体形成片１２は、側面１４，１６，１８，２０が、互いに平行に連接して形成されている。側面１４，１６，１８，２０は、連接している幅方向はほぼ同じ長さであり、連接方向の長さは側面１４，１８が長くて互いにほぼ等しく、側面１６，２０は短くて互いにほぼ等しい。さらに、側面１４の側縁部には、分割機能付包装用箱１０の組立状態で側面２０の裏面に糊付けされる糊付片２２が設けられている。糊付片２２、側面１４，１６，１８，２０は、各々折罫線２４，２６，２８，３０で区切られている。
【００１１】
側面１４には、側面どうしの連接方向に対して平行に本体切込線３２が設けられている。本体切込線３２は、側面どうしの連接している幅方向の中間を通過して形成され、一方の端部は折罫線２６に達し、他方の端部は折罫線２４を超えて糊付片２２を通過して糊付片２２の側縁部に達している。側面１４の本体切込線３２の近傍には、係止穴３４が設けられている。係止穴３４は、本体切込線３２に対して平行な直線の切断線で設けられ、直線の両端部には、本体切込線３２から離れる方へほぼ直角に突出する切断線が設けられコの字形となっている。
【００１２】
側面１６には、側面１４の本体切込線３２の延長線上に位置する折罫線３５が設けられ、折罫線３５は、折罫線２６から折罫線２８に達している。折罫線３５の、側面１４の係止穴３４と反対側には、本体切込線３６が設けられている。本体切込線３６は、折罫線３５と折罫線２８の交点を中心とする円形の４分の１の円弧であり、折罫線３５と折罫線２６の交点から延出し、折罫線３５から離れて湾曲しながら折罫線２８に達している。折罫線２８と折罫線３５、本体切込線３６で囲まれた扇形の部分は折畳片４０となる。折畳片４０には、折罫線３５と折罫線２８の交点から本体切込線３６に向かって、折罫線３５に対してほぼ４５度に延出する直線の折罫線３８が設けられている。折罫線３８の、折罫線２８側の約半分の長さには、折り曲げ易いように切断線が設けられている。側面１６の、側面どうしの連接方向に対して直角な方向の一対の端部のうち、本体切込線３６が彎曲する方向の端部には矩形のフラップ４２が折罫線４４で区切られて設けられている。側面１６の、折罫線４４と反対側の端部には、矩形のフラップ４６が折罫線４８で区切られて設けられている。
【００１３】
側面１８の側面１６の折罫線４４に隣接する端部には、第一上蓋片５０が折罫線５２で区切られて設けられている。第一上蓋片５０の折罫線５２と反対側の端部には、差込片５４が折罫線５６で区切られて設けられている。折罫線５６の両端部には、差込片５４がフラップ４２，８８と係止しやすいように短い切込線が設けられている。
【００１４】
側面１８には、側面１６の折罫線３５の延長線上に位置する折罫線５８が設けられ、折罫線２８から折罫線３０に達している。そして折罫線２８と、側面１６の本体切込線３６が交差する交点位置から、折罫線５８に対して平行な折罫線６０が設けられ、折罫線２８から折罫線３０に達している。折罫線２８，３０と折罫線５８、折罫線６０で囲まれた矩形の部分は第二上蓋片６２となる。側面１８の折罫線５２の中間には、第一上蓋片５０側に移動し折罫線５２に対して平行に形成された蓋体切込線６４が設けられている。蓋体切込線６４の折罫線２８側の端部から、折罫線２８と折罫線６０の交点に向かって蓋体切込線６６が設けられている。蓋体切込線６４の折罫線３０側の端部から、折罫線３０と折罫線６０の交点に向かって蓋体切込線６８が設けられている。折罫線６０と、蓋体切込線６４、蓋体切込線６６、６８で囲まれた台形状の部分は蓋体７０となる。蓋体７０の中心よりも少し折罫線６０に近い部分には、折罫線６０の方へ膨出する切断線で区切られた差込部７２が設けられている。
【００１５】
側面１８の、折罫線５２と反対側の端部には、底蓋片７４が折罫線７６で区切られて設けられている。底蓋片７４の折罫線７６の反対側の端部には、差込片７８が折罫線８０で区切られて設けられ、両端部には短い切込線が設けられている。
【００１６】
側面２０には、側面１８の折罫線５８の延長上に位置する折罫線８２が設けられ、折罫線８２は折罫線３０から折罫線３０と反対側の側縁部に達している。折罫線８２の、側面１８の折罫線５２側には、本体切込線８４が設けられている。本体切込線８４は、折罫線８２と折罫線３０の交点を中心とする円形の４分の１の円弧であり、折罫線６０と折罫線３０の交点から延出し、折罫線６０から離れて湾曲しながら側面２０の側縁部に達している。折罫線３０と折罫線８２、本体切込線８４で囲まれた扇形の部分は折畳片８７となる。
折畳片８７には、折罫線８２と折罫線３０の交点から本体切込線８４に向かって、折罫線８２に対してほぼ４５度に延出する直線の折罫線８６が設けられている。折罫線８６の、折罫線３０側の約半分の長さには、折り曲げ易いように切断線が設けられている。側面２０の、側面１８の折罫線５２に隣接する端部には、矩形のフラップ８８が折罫線９０で区切られて設けられている。側面２０の、折罫線９０と反対側の端部には、矩形のフラップ９２が折罫線９４で区切られて設けられている。
【００１７】
次に、この実施形態の分割機能付包装用箱１０の組立方法の一例について説明する。なお、ここでは図４が分割機能付包装用箱１０の箱体形成片１２の表面を見たものであり、箱体形成片１２の表面が凸になる折り方を正折り、そして裏面が凸になる折り方を逆折りと称する。まず、折罫線２６を正折りして糊付片２２の表面に糊９６を塗布する。次に、折罫線３０を正折りし、側面２０の裏面が糊９６により糊付片２２の表面に糊付けされる。次に商品を収容し包装する工場等において、折罫線２４，２６，２８，３０を各々９０度に正折りして四角形の箱体にする。次に、折罫線４８，９４でフラップ４６，９２を９０度に正折りし、その後折罫線７６で底蓋片７４を９０度に正折りし、差込片７８を折罫線８０で正折りし、差込片７８を側面１４の裏面側に差し込んで係止し、底部が形成される。さらに、折罫線４４，９０でフラップ４２，８８を９０度に正折りし、折罫線５２で第一上蓋片５０を９０度に正折りし、差込片５４を折罫線５６で正折りし、差込片５４を側面１４の裏面側に差し込んで係止し、上部が形成される。なお、箱体形成片１２を組み立てる順番はこれ以外でも良く、適宜変更可能である。
【００１８】
次に、この実施形態の分割機能付包装用箱１０の使用方法について説明する。まず、図１に示すように分割機能付包装用箱１０を組み立てた最初の大きさで、商品の運搬や保管、展示を行う。
【００１９】
そして、商品の購入者が商品の一部を使用し、商品の残りを元の分割機能付包装用箱１０に戻して保管するとき、図２に示すように本体切込線３２，３６，８４、蓋体切込線６４，６６，６８を切断して、分割機能付包装用箱１０を２個に分割する。蓋体７０が設けられる一方は小形収納箱９８となり、他方は破棄片１００となる。そして小形収納箱９８の、側面１４，１６，１８，２０で作られた箱体の内側に商品の残りを入れ、図３に示すように、折罫線５８で第二上蓋片６２を９０度に正折りする。このとき折畳片４０は、折罫線２８，３５で９０度に正折りされ折罫線３８で逆折りされて中表に二つ折りされ、側面１６に対して９０度に交差して閉鎖する。また折畳片８７は、折罫線３０，８２で９０度に正折りされ折罫線８６で逆折りされて中表に二つ折りされ、側面２０に対して９０度に交差して閉鎖する。そして、折罫線６０で蓋体７０を９０度に正折りして側面１４の表面に重ね、蓋体７０の差込部７２を側面１４の係止穴３４に差し込んで係止する。差込部７２は、係止穴３４の上方に向き合って側面１４の裏面に当接し、蓋体７０が上に開こうとすると差込部７２がより深く係止穴３４に差し込まれ、確実に係止される。
【００２０】
この実施形態の分割機能付包装用箱１０によれば、簡単な構造で確実に閉鎖されるコンパクトな小形収納箱９８を作ることができ、商品の一部を使用した残りを再び入れてコンパクトに保管することができる。分割機能付包装用箱１０に印刷された商品名や商品に関する情報等を破棄せずに保存することができ、商品の残りを別の箱に移して内容物を間違えることがなく、安全である。商品が薬剤の場合は、小形収納箱９８に薬剤の成分や飲み方等の情報を保存して、最後まで安全に使用することができる。
【００２１】
分割機能付包装用箱１０を分割して作られた小形収納箱９８は、開口部が第二上蓋片６２と折畳片４０，８７で確実に閉鎖され、第二上蓋片６２は蓋体７０で側面１４に確実に係止されるため、不用意に開くことがなく携帯するときに便利である。蓋体７０の両脇に折畳片４０，８７が設けられているため、異物の侵入を防ぎ、衛生的である。蓋体７０と折畳片４０，８７は、本体切込線３２に連続する各切込線を切断すると簡単に一体に形成され、分割機能付包装用箱１０を分割する工程が簡単である。
【００２２】
差込部７２と係止穴３４は切断線で形成されているため、分割機能付包装用箱１０を最初の大きさで使用するときは支障がなく、小形収納箱９８として使用するときは、確実に蓋体７０を側面１４に係止することができる。分割機能付包装用箱１０の破棄片１００は破棄されるため、小形収納箱９８の蓋体７０を側面１８の広い面積を使用して形成することができるため、確実に閉鎖する小形収納箱９８を設けることができる。
【００２３】
なお、この発明は上記実施の形態に限定されるものではなく、蓋体や折畳片の形状や大きさは適宜変更可能であり、蓋体と折畳片が分割されたものでも良く、折畳片がないものでも良い。差込部と係止穴の形状も互いに確実に係止されるものであれば良い。分割機能付包装用箱の素材は、紙以外に、紙と合成樹脂を積層したもの等自由に変更可能であり、各切込線を手で容易に切断することができるものであれば良い。小形収納箱の深さも、各切込線の位置を移動して適宜変更することができる。
【図面の簡単な説明】
【００２４】
【図１】この発明の一実施形態の分割機能付包装用箱の斜視図である。
【図２】この実施形態の分割機能付包装用箱を分割した状態を示す斜視図である。
【図３】この実施形態の分割機能付包装用箱から作られた小形収納箱の蓋体が開いた状態を示す斜視図（ａ）と、蓋体が閉じた状態を示す斜視図（ｂ）である。
【図４】この実施形態の分割機能付包装用箱の展開図である。
【符号の説明】
【００２５】
１０  分割機能付包装用箱
１２  箱体形成片
１４，１６，１８，２０  側面
３２，３６，８４  本体切込線
３４  係止穴
４０，８７  折畳片
６４，６６，６８  蓋体切込線
７０  蓋体
７２  差込部
９８  小形収納箱
１００  破棄片
【図１】
2010013129.tif 000003
【図２】
2010013129.tif 000004
【図３】
2010013129.tif 000005
【図４】
2010013129.tif 000006